(57)【要約】【課題】伝送装置に対する一括設定を効率的に実行することを可能にする。【解決手段】ネットワークシステムは、通信ネットワーク上に分散配置されたノードを構成する複数の伝送装置１０２と、伝送装置１０２を遠隔制御するネットワーク管理装置１０１とを含む。伝送装置１０２は、設定コマンドを保持する記憶領域を有する保持テーブル１０４と、ネットワーク管理装置１０１から伝送された制御コマンドＣａを受信するコマンド受信部１０３と、制御コマンドＣａに応じて保持テーブル１０４から読み出された設定コマンドＣ１〜Ｃ３に従って制御対象ハードウェア１０６に対して複数の設定項目を一括設定する設定制御部１０５と含む。【選択図】図２
2010193264.tif 000002
【特許請求の範囲】
【請求項１】
通信ネットワーク上に分散配置されたノードを構成する複数の伝送装置と、前記複数の伝送装置を前記通信ネットワークを介して遠隔制御するネットワーク管理装置とを含むネットワークシステムであって、
前記複数の伝送装置のうち少なくとも一台は、
複数の設定項目により定まる制御状態を有する制御対象ハードウェアと、
設定コマンドを保持する記憶領域を有する保持テーブルと、
前記ネットワーク管理装置から所定の通信プロトコルに従って伝送された第１の制御コマンドを受信するコマンド受信部と、
当該受信した第１の制御コマンドに応じて、前記保持テーブルから読み出された当該設定コマンドを解釈し、その解釈結果に従って前記制御対象ハードウェアに対して前記複数の設定項目を一括設定する設定制御部と、
を含む、ネットワークシステム。
【請求項２】
請求項１に記載のネットワークシステムであって、前記コマンド受信部は、第２の制御コマンドとともに前記設定コマンドを受信したとき、当該受信した設定コマンドを前記保持テーブルの当該記憶領域に記憶させる、ネットワークシステム。
【請求項３】
請求項１または２に記載のネットワークシステムであって、
前記複数の伝送装置のうち少なくとも一台は、
複数の設定項目により定まる制御状態を有する制御対象ハードウェアと、
前記ネットワーク管理装置から所定の通信プロトコルに従って前記第１の制御コマンドを伴わない設定コマンドを受信するコマンド受信部と、
当該受信した設定コマンドを解釈し、その解釈結果に従って前記制御対象ハードウェアに対して前記複数の設定項目を設定する設定制御部と、
を含む、ネットワークシステム。
【請求項４】
通信ネットワーク上に分散配置されたノードを構成する複数の伝送装置と、前記複数の伝送装置を前記通信ネットワークを介して遠隔制御するネットワーク管理装置とを含むネットワークシステムであって、
前記複数の伝送装置のうち少なくとも一台は、
複数の設定項目により定まる制御状態を有する制御対象ハードウェアと、
記憶領域を有するバックアップ部と、
前記ネットワーク管理装置から所定の通信プロトコルに従って伝送された設定コマンドを受信するコマンド受信部と、
当該受信された設定コマンドを解釈し、その解釈結果に従って前記制御対象ハードウェアに対して前記複数の設定項目を一括設定するとともに、当該解釈結果を示す設定データを前記バックアップ部の当該記憶領域に保持させる設定制御部と、
を含む、ネットワークシステム。
【請求項５】
請求項４に記載のネットワークシステムであって、前記コマンド受信部が前記ネットワーク管理装置から制御コマンドとともに設定コマンドを受信したとき、前記設定制御部は、当該受信した設定コマンドを解釈し、前記制御対象ハードウェアに対する前記複数の設定項目の一括設定を行わずに、その解釈結果を示す設定データを前記バックアップ部の当該記憶領域に保持させる、ネットワークシステム。
【請求項６】
通信ネットワーク上に配置されたノードを構成する伝送装置であって、
複数の設定項目により定まる制御状態を有する制御対象ハードウェアと、
設定コマンドを保持する記憶領域を有する保持テーブルと、
前記通信ネットワークを介して所定の通信プロトコルに従って伝送された第１の制御コマンドを受信するコマンド受信部と、
当該受信した第１の制御コマンドに応じて、前記保持テーブルから読み出された当該設定コマンドを解釈し、その解釈結果に従って前記制御対象ハードウェアに対して前記複数の設定項目を一括設定する設定制御部と、
を備える伝送装置。
【請求項７】
請求項６に記載の伝送装置であって、前記コマンド受信部は、第２の制御コマンドとともに設定コマンドを受信したとき、当該受信した設定コマンドを前記保持テーブルの当該記憶領域に記憶させる、伝送装置。
【請求項８】
請求項６または７に記載の伝送装置であって、
前記コマンド受信部が前記第１の制御コマンドを伴わない設定コマンドを受信したとき、前記設定制御部は、当該受信した設定コマンドを解釈し、その解釈結果に従って前記制御対象ハードウェアに対して前記複数の設定項目を一括設定する、伝送装置。
【請求項９】
通信ネットワーク上に配置されたノードを構成する伝送装置であって、
複数の設定項目により定まる制御状態を有する制御対象ハードウェアと、
記憶領域を有するバックアップ部と、
前記通信ネットワークを介して所定の通信プロトコルに従って伝送された設定コマンドを受信するコマンド受信部と、
当該受信された設定コマンドを解釈し、その解釈結果に従って前記制御対象ハードウェアに対して前記複数の設定項目を一括設定するとともに、当該解釈結果を示す設定データを前記バックアップ部の当該記憶領域に保持させる設定制御部と、
を備える伝送装置。
【請求項１０】
請求項９に記載の伝送装置であって、前記コマンド受信部が制御コマンドとともに設定コマンドを受信したとき、前記設定制御部は、当該受信した設定コマンドを解釈し、前記制御対象ハードウェアに対する前記複数の設定項目の一括設定を行わずに、その解釈結果を示す設定データを前記バックアップ部の当該記憶領域に保持させる、伝送装置。
【発明の詳細な説明】
【技術分野】
【０００１】
本発明は、通信ネットワーク上のノードを構成する伝送装置に対する遠隔制御技術に関し、特に、多数の伝送装置に対する設定を行うための遠隔制御技術にする。
【背景技術】
【０００２】
近年、広域な通信ネットワークにおける通信速度の高速化と大容量化が急速に進んでいる。これに伴い、通信ネットワーク上のノードを構成する伝送装置の処理能力（単位時間当たりに処理できるデータ量）の大容量化が要求されている。また、通信ネットワークが大規模化すると、通信ネットワーク上の伝送装置の台数が増加するが、これら多数の伝送装置に対する設定作業量は非常に大きなものとなる。そこで、保守管理装置が伝送装置を遠隔制御することでこれら伝送装置に対する設定を効率的に行う遠隔制御技術が開発されている。
【０００３】
このような遠隔制御技術に関する先行技術文献としては、たとえば、特許文献１（特開２００５−２２９３２９号公報）が挙げられる。特許文献１に開示される遠隔制御技術では、ネットワーク管理装置（保守管理装置）が、ＷＤＭ（Wavelength Division Multiplexing）伝送装置などの伝送装置に対して、低速ファシリティ種別の設定、高速ファシリティ・パラメータ設定、アラーム設定あるいはネットワーク設定といった項目の設定を遠隔制御で実行する。
【先行技術文献】
【特許文献】
【０００４】
【特許文献１】特開２００５−２２９３２９号公報
【発明の概要】
【発明が解決しようとする課題】
【０００５】
伝送装置の設定にはコマンド・インタフェースを使用することができる。すなわち、ネットワーク管理装置は、所定の通信プロトコルに従って設定コマンドを伝送装置に伝送する。伝送装置は、当該通信プロトコルに従って伝送された設定コマンドを受信すると、この設定コマンドに基づいて自己の制御対象ハードウェアに対する制御情報の設定を行う。ネットワーク管理装置は、伝送装置に対して、複数の設定項目の設定を順次実行することができるが、かかる手順は効率的な方法ではない。
【０００６】
そこで、複数の設定項目を一括して設定する機能（以下、「一括設定機能」と呼ぶ。）を有する伝送装置が開発された。近年の通信速度の高速化と大容量化に伴い、ネットワーク管理装置から伝送装置に対する設定量も増大する傾向にあるので、伝送装置がこの一括設定機能を有すると、設定処理を効率的に行うことが可能である。
【０００７】
しかしながら、ネットワーク管理装置は、この一括設定機能を有する伝送装置の他に、一括設定機能を有しない伝送装置（以下、「旧伝送装置」と呼ぶ。）も管理しなければならない場合がある。すなわち、一括設定機能を有する伝送装置と旧伝送装置とが混在して存在する通信ネットワークでは、ネットワーク管理装置と伝送装置との間のコマンド・インタフェースの形式を、一括設定機能を有する伝送装置と旧伝送装置との双方に対応した形式にしなければならないが、かかる場合、ネットワーク管理装置における制御処理が複雑化するという問題がある。
【０００８】
また、伝送装置は、ローカル制御端末などの通信端末からある程度の粒度（各設定を実行するための最低限必要な単位）の設定も可能にする機能を有することが必要である。このため、旧コマンド・インターフェースと新たなコマンド・インターフェースとの両方をサポートする必要が生じるという課題がある。
【０００９】
上記に鑑みて本発明の目的は、伝送装置に対する一括設定を効率的に実行することを可能にするネットワークシステムおよび伝送装置を提供することである。
【課題を解決するための手段】
【００１０】
本発明によれば、通信ネットワーク上に分散配置されたノードを構成する複数の伝送装置と、前記伝送装置を前記通信ネットワークを介して遠隔制御するネットワーク管理装置とを含むネットワークシステムが提供される。このネットワークシステムでは、前記複数の伝送装置のうち少なくとも一台は、複数の設定項目により定まる制御状態を有する制御対象ハードウェアと、設定コマンドを保持する記憶領域を有する保持テーブルと、前記ネットワーク管理装置から所定の通信プロトコルに従って伝送された第１の制御コマンドを受信するコマンド受信部と、当該受信した第１の制御コマンドに応じて、前記保持テーブルから読み出された当該設定コマンドを解釈し、その解釈結果に従って前記制御対象ハードウェアに対して前記複数の設定項目を一括設定する設定制御部と、を含む。
【００１１】
また、本発明によれば、通信ネットワーク上に分散配置されたノードを構成する複数の伝送装置と、前記伝送装置を前記通信ネットワークを介して遠隔制御するネットワーク管理装置とを含むネットワークシステムが提供される。このネットワークシステムでは、前記複数の伝送装置のうち少なくとも一台は、複数の設定項目により定まる制御状態を有する制御対象ハードウェアと、記憶領域を有するバックアップ部と、前記ネットワーク管理装置から所定の通信プロトコルに従って伝送された設定コマンドを受信するコマンド受信部と、当該受信された設定コマンドを解釈し、その解釈結果に従って前記制御対象ハードウェアに対して前記複数の設定項目を一括設定するとともに、当該解釈結果を示す設定データを前記バックアップ部の当該記憶領域に保持させる設定制御部と、を含む。
【００１２】
また、本発明によれば、通信ネットワーク上に配置されたノードを構成する伝送装置が提供される。この伝送装置は、複数の設定項目により定まる制御状態を有する制御対象ハードウェアと、設定コマンドを保持する記憶領域を有する保持テーブルと、前記通信ネットワークを介して所定の通信プロトコルに従って伝送された第１の制御コマンドを受信するコマンド受信部と、当該受信した第１の制御コマンドに応じて、前記保持テーブルから読み出された当該設定コマンドを解釈し、その解釈結果に従って前記制御対象ハードウェアに対して前記複数の設定項目を一括設定する設定制御部と、を備える。
【００１３】
そして、本発明によれば、通信ネットワーク上に配置されたノードを構成する伝送装置が提供される。この伝送装置は、複数の設定項目により定まる制御状態を有する制御対象ハードウェアと、記憶領域を有するバックアップ部と、前記通信ネットワークを介して所定の通信プロトコルに従って伝送された設定コマンドを受信するコマンド受信部と、当該受信された設定コマンドを解釈し、その解釈結果に従って前記制御対象ハードウェアに対して前記複数の設定項目を一括設定するとともに、当該解釈結果を示す設定データを前記バックアップ部の当該記憶領域に保持させる設定制御部と、を備える。
【発明の効果】
【００１４】
本発明によれば、伝送装置に対する一括設定を効率的に実行することを可能にするネットワークシステムおよび伝送装置が提供される。
【図面の簡単な説明】
【００１５】
【図１】本発明に係る実施形態のネットワークシステムの概略構成を示す図である。
【図２】第１の実施形態の大容量型伝送装置の概略構成を有する機能ブロック図である。
【図３】伝送装置の設定動作を説明するための図である。
【図４】伝送装置の設定動作を説明するための図である。
【図５】伝送装置の設定動作を説明するための図である。
【図６】第２の実施形態の大容量型伝送装置の概略構成を有する機能ブロック図である。
【図７】伝送装置の設定動作を説明するための図である。
【図８】伝送装置の設定動作を説明するための図である。
【発明を実施するための形態】
【００１６】
以下、本発明に係る実施の形態について図面を参照しつつ説明する。
【００１７】
（第１の実施形態）
図１は、本発明に係る実施形態のネットワークシステムの概略構成を示す図である。図１に示されるように、通信ネットワークＮＷ上には、ノードを構成する多数の伝送装置１０２，…，９９，…が分散配置されている。これら伝送装置１０２，…，９９，…のうち、伝送装置１０２は、一括設定機能（複数の設定項目を一括して設定することが可能な機能）を有する大容量型伝送装置であり、伝送装置９９は、一括設定機能を有しない旧伝送装置である。ネットワーク管理装置１０１は、これら伝送装置９９，１０２を通信ネットワークＮＷを介して遠隔制御により管理する。なお、通信ネットワークＮＷとして、たとえば光伝送路を構成するバックボーン・ネットワークが挙げられるが、これに限定されるものではない。
【００１８】
図２は、第１の実施形態の大容量型伝送装置１０２の概略構成を有する機能ブロック図である。図２に示されるように、大容量型伝送装置１０２は、コマンド受信部１０３、保持テーブル１０４、コマンド変換部１０５および制御対象ハードウェア１０６を有する。制御対象ハードウェア１０６は、複数の設定項目により定まる制御状態を有し、たとえば光伝送ルータなどの通信機器である。保持テーブル１０４は、不揮発性メモリなどの記憶装置内に設けられており、複数の設定コマンドＣ１〜Ｃ３を保持する記憶領域を有する。
【００１９】
コマンド受信部１０３は、ネットワーク管理装置１０１から所定の通信プロトコルに従って伝送された制御コマンドや設定コマンドを受信する機能を有する。後述するように、保持テーブル１０４は、保持モード中にコマンド受信部１０３で受信された設定コマンドＣ１〜Ｃ３を自己の記憶領域に保持する機能を有する。コマンド変換部（設定制御部）１０５は、コマンド受信部１０３または保持テーブル１０４から供給された設定コマンドＣ１〜Ｃ３を解釈し、その解釈結果に従ってこれら設定コマンドＣ１〜Ｃ３をそれぞれ設定データＳＣ１〜ＳＣ３に変換する。そして、コマンド変換部１０５は、これら設定データＳＣ１〜ＳＣ３を制御対象ハードウェア１０６に与えて複数の設定項目を一括設定する機能を有する。
【００２０】
上記構成を有するネットワークシステムの動作を以下に説明する。
【００２１】
図３〜図５は、伝送装置１０２の設定動作を説明するための図である。図３に示されるように、伝送装置１０２の動作モードが通常モードにあるとき、コマンド受信部１０３は、ネットワーク管理装置１０１から設定コマンドＣ１〜Ｃ３を受信すると、この設定コマンドＣ１〜Ｃ３をコマンド変換部１０５に与える。コマンド変換部１０５は、設定コマンドＣ１〜Ｃ３を解釈し、その解釈結果に従って設定コマンドＣ１〜Ｃ３をそれぞれ設定データＳＣ１〜ＳＣ３に変換する。そして、コマンド変換部１０５は、これら設定データＳＣ１〜ＳＣ３を制御対象ハードウェア１０６に与えて複数の設定項目を一括設定する。ネットワーク管理装置１０１は、ある制御コマンドを伝送装置１０２に供給することで、伝送装置１０２の動作モードを通常モードに移行させることができる。旧伝送装置９９は、設定コマンドＣ１〜Ｃ３を受信したとき、これに応じて、内蔵する制御対象ハードウェア（図示せず）に対して複数の設定項目を順次設定する機能を有しているが、複数の設定項目を一括設定する機能を有していない。
【００２２】
次に、図４は、伝送装置１０２の動作モードが保持モードにあるときの設定動作を説明するための図である。図４に示されるように、コマンド受信部１０３は、ネットワーク管理装置１０１から制御コマンドＣｂとともに設定コマンドＣ１〜Ｃ３を受信すると、この設定コマンドＣ１〜Ｃ３を保持テーブル１０４の記憶領域に保持させる。この動作が完了すると、伝送装置１０２の動作モードは通常モードに戻る。
【００２３】
次に、図５は、伝送装置１０２の動作モードが設定モードにあるときの設定動作を説明するための図である。図５に示されるように、コマンド受信部１０３は、ネットワーク管理装置１０１から制御コマンドＣａを受信すると、この制御コマンドＣａをコマンド変換部１０５に与える。コマンド変換部１０５は、この制御コマンド（保持ストップ制御コマンド）Ｃａに応じて、保持テーブル１０４から設定コマンドＣ１〜Ｃ３を読み出し、これら設定コマンドＣ１〜Ｃ３の解釈結果に従って設定データＳＣ１〜ＳＣ３を生成する。そして、コマンド変換部１０５は、これら設定データＳＣ１〜ＳＣ３を制御対象ハードウェア１０６に与えて複数の設定項目を一括設定する。この一括設定が完了すると、伝送装置１０２の動作モードは通常モードに戻る。
【００２４】
上述した通り、第１の実施形態のネットワークシステムでは、ネットワーク管理装置１０１は、通常モードのみを有する旧伝送装置９９に対する設定と、通常モード、保持モードおよび設定モードを有する大容量型伝送装置１０２に対する一括設定とを遠隔制御により実行することができる。すなわち、大容量型伝送装置１０２に対する一括設定を実行する際は、ネットワーク管理装置１０１は、大容量型伝送装置１０２に制御コマンドＣａを送信すれば、大容量型伝送装置１０２に予め保持されている設定コマンドＣ１〜Ｃ３に基づいた一括設定が実行される。伝送装置に対する一括設定を効率的に実行することが可能である。
【００２５】
また、ネットワーク管理装置１０１と大容量型伝送装置１０２との間のコマンド・インタフェースを、旧伝送装置９９にも適用することが可能であるので、ネットワーク管理装置１０１における制御処理が比較的シンプルで済むという利点がある。大容量型伝送装置１０２を、旧伝送装置９９を含む既存の通信ネットワークＮＷに容易に収容することができる。
【００２６】
（第２の実施形態）
次に、本発明に係る第２の実施形態について説明する。本実施形態では、第１の実施形態の大容量型伝送装置１０２の代わりに、図６に示す大容量型伝送装置１０２Ｍが使用される。図６は、第２の実施形態の大容量型伝送装置１０２Ｍの概略構成を有する機能ブロック図である。
【００２７】
図６に示されるように、大容量型伝送装置１０２Ｍは、コマンド受信部１０３、コマンド変換部１０５Ｍ、バックアップ部１０７および制御対象ハードウェア１０６を有する。制御対象ハードウェア１０６は、複数の設定項目により定まる制御状態を有し、たとえば光伝送ルータなどの通信機器である。バックアップ部１０７は、不揮発性メモリなどの記憶装置であり、設定データＳＣ１〜ＳＣ３を格納する記憶領域を有する。
【００２８】
コマンド受信部１０３は、ネットワーク管理装置１０１から所定の通信プロトコルに従って伝送された制御コマンドや設定コマンドを受信する機能を有する。コマンド変換部（設定制御部）１０５Ｍは、コマンド受信部１０３から供給された設定コマンドＣ１〜Ｃ３を解釈し、その解釈結果に従ってこれら設定コマンドＣ１〜Ｃ３をそれぞれ設定データＳＣ１〜ＳＣ３に変換する。
【００２９】
そして、大容量型伝送装置１０２Ｍの動作モードが通常モードにあるとき、コマンド変換部１０５Ｍは、これら設定データＳＣ１〜ＳＣ３を制御対象ハードウェア１０６に与えて複数の設定項目を一括設定する機能と、これら設定データＳＣ１〜ＳＣ３をバックアップ部１０７に記憶させるバックアップ機能とを有する。これにより、設定データＳＣ１〜ＳＣ３の一括設定の際に、これら設定データＳＣ１〜ＳＣ３をバックアップ部１０７にバックアップすることができる。
【００３０】
図７は、制御対象ハードウェア１０６の設定には異常が無いが、バックアップ部１０７内のバックアップデータ（設定データＳＣ１〜ＳＣ３）が消失した状態を表している。この場合、図８に示されるように、ネットワーク管理装置１０１は、制御コマンドＣｄを大容量型伝送装置１０２Ｍに供給することができる。この制御コマンドＣｄに応じて、コマンド変換部１０５Ｍは、制御対象ハードウェア１０６に対する一括設定を実行せずに、設定データＳＣ１〜ＳＣ３のバックアップ部１０７へのバックアップ（すなわち、設定データＳＣ１〜ＳＣ３のバックアップ部１０７への上書き保存）を実行する。その後、ネットワーク管理装置１０１は、制御コマンドＣｅを大容量型伝送装置１０２Ｍに供給することで、大容量型伝送装置１０２Ｍの動作モードを通常モードに戻すことができる。
【００３１】
上記の通り、本実施形態の大容量型伝送装置１０２Ｍを使用したネットワークシステムでは、大容量型伝送装置１０２Ｍに対する一括設定を効率的に実行することが可能である。また、本実施形態のネットワークシステムは、制御コマンドの履歴に基づいて伝送装置１０２Ｍのバックアップ情報（バックアップ部１０７に保存される設定データ）のみを再構築したい場合に好適である。
【００３２】
以上、図面を参照して本発明の実施形態について述べたが、これらは本発明の例示であり、上記以外の様々な構成を採用することもできる。
【符号の説明】
【００３３】
９９  伝送装置（旧伝送装置）
ＮＷ  通信ネットワーク
１０１  ネットワーク管理装置
１０２，１０２Ｍ  伝送装置（大容量型伝送装置）
１０３  コマンド受信部
１０４  保持テーブル
１０５，１０５Ｍ  コマンド変換部（設定制御部）
１０６  制御対象ハードウェア
１０７  バックアップ部
【図１】
2010193264.tif 000003
【図２】
2010193264.tif 000004
【図３】
2010193264.tif 000005
【図４】
2010193264.tif 000006
【図５】
2010193264.tif 000007
【図６】
2010193264.tif 000008
【図７】
2010193264.tif 000009
【図８】
2010193264.tif 000010